(57)【要約】【課題】  引戸に取付けるハンドルであって、身体の不自由な人が手軽に開閉操作を行うことが出来るハンドルの提供。【解決手段】  ハンドル３は各コーナー部を湾曲した概略長方形の握り部と、その上下端部にはパネル２に取付ける為に後方へ延びるアーム４，４を有している。上記概略長方形の握り部は、戸先側に位置して上下方向に延びるメイン握り部５、戸尻側に位置して上下方向に延びる補助握り部６、そしてメイン握り部５と補助握り部６の上下端を繋ぐ上握り部７と下握り部８から成り、上記メイン握り部５と補助握り部６は互いにほぼ平行であると共にパネル面に対しても所定の間隔をおいて平行を成し、補助握り部とパネル面間の間隔をメイン握り部５とパネル面間の間隔より大きくしている。【選択図】    図２
2007146507.tif 000002
【特許請求の範囲】
【請求項１】
引戸に取付ける為のハンドルにおいて、該ハンドルは各コーナー部を湾曲した概略長方形の握り部と、その上下端部にはパネルに取付ける為に後方へ延びるアームを有し、上記概略長方形の握り部は、戸先側に位置して上下方向に延びるメイン握り部、戸尻側に位置して上下方向に延びる補助握り部、そしてメイン握り部と補助握り部の上下端を繋ぐ上握り部と下握り部から成り、上記メイン握り部と補助握り部は互いにほぼ平行であると共にパネル面に対しても所定の間隔をおいて平行を成していることを特徴とする引戸用ハンドル。
【請求項２】
上記アームをメイン握り部の上下端部に設けた請求項１記載の引戸用ハンドル。
【請求項３】
上記アームを上下握り部のメイン握り部側に設けた請求項１記載の引戸用ハンドル。
【請求項４】
補助握り部とパネル面間の間隔を、メイン握り部とパネル面間の間隔より大きくした請求項１、請求項２、又は請求項３記載の引戸用ハンドル。
【請求項５】
上レールに吊車を介して吊設され、開閉操作用のハンドルを備えた引戸において、該引戸の戸先側両面に取付けられるハンドルは、各コーナー部を湾曲した概略長方形の握り部と、その上下端部には引戸のパネルに取付ける為に後方へ延びるアームを有し、上記概略長方形の握り部は、戸先側に位置して上下方向に延びるメイン握り部、戸尻側に位置して上下方向に延びる補助握り部、そしてメイン握り部と補助握り部の上下端を繋ぐ上握り部と下握り部から成り、上記メイン握り部と補助握り部は互いにほぼ平行であると共にパネル面に対しても所定の間隔をおいて平行を成し、補助握り部とパネル面間の間隔をメイン握り部とパネル面間の間隔より大きくしたことを特徴とする引戸。
【発明の詳細な説明】
【技術分野】
【０００１】
本発明は身体の不自由な人が引戸を開閉する際に、操作し易い引戸用ハンドル及び開閉操作がし易い引戸に関するものである。
【背景技術】
【０００２】
図６は従来から使用している引戸の外観図であり、引戸(イ)は上レール(ロ)に吊設されて走行し、入口を開閉することが出来る。そして引戸(イ)が開口した場合に納まる戸袋(ハ)を有し、また上レール(ロ)や該上レール(ロ)を走行する吊車などをカバーする為の点検パネルが入口から戸袋の上部にかけて取付けされる(同図はこの点検パネルを外した状態である)。同図に示す引戸装置は手で押し開いた引戸(イ)が独りで閉じるようになっているが、その為にゼンマイバネを内蔵した自閉装置(ニ)を備えている。
【０００３】
手で押し開かれた引戸(イ)と共に巻き戻されたゼンマイバネに引張られて該引戸(イ)は閉じることが出来る。この際、自閉装置(ニ)に引かれることで引戸(イ)が衝撃を伴って閉じることがないように、制動装置(ホ)を取付けている。すなわち、制動装置(ホ)の延びたピストンロッド(ヘ)の先端に引戸(イ)が当って静かに閉じることが出来る。さらに、全開した引戸(イ)を一時的に停止する為に、吊車に係止する全開ストッパー(ト)を取着している。
【０００４】
一方、半自動式吊戸装置では、上記ゼンマイバネを内蔵した自閉装置(ニ)を用いることなく上レール(ロ)を僅かに傾斜し、該上レール(ロ)に吊設される引戸(イ)が自重によって独りで閉鎖するように構成することも出来、最近ではこの型式の半自動式引戸装置が多用されている。そして、該引戸が閉じる際の衝撃を緩和する為にブレーキ装置が取付けられ、また開放した際には独りで閉じないように全開ストッパーを備えている。
【０００５】
ところで、近年の引戸装置は高精度のアルミ製上レールが用いられ、吊車のローラには耐摩性に優れたポリアセタール等の樹脂材が用いられ、又高性能のラジアルベアリングが内蔵されている為に、約１ｋｇの軽い力で開閉操作を行うことが出来るように成っている。そして、引戸(イ)の戸先側にはハンドル(チ)が取付けられている為に、該ハンドル(チ)を握って引くことが出来るように成っている。
【０００６】
図７は引戸(イ)を単独で表している場合であるが、該引戸(イ)の戸先側にはハンドル(チ)が取付けられている。ハンドル(チ)の形状は概略コ形を成して引戸面と一定空間を隔てた位置に握り部(リ)が上下方向に延びている。人は、この握り部(リ)の適当な位置を握って引戸(イ)を引いて開くことが出来、開いた引戸(イ)は独りで閉じるようになる。
【０００７】
図８は概略コ形のハンドル(チ)を備えた従来の引戸(イ)を開く場合を表している。同図では操作する人が身体障害者等(ヌ)であって車椅子(ル)に乗っている。
(ａ)は車椅子(ル)に乗った身体障害者等(ヌ)はハンドル(チ)を握って引戸(イ)を引くことが出来るが、この場合に該引戸(イ)は入口の約１／２程度までは開くことが出来る。すなわち、ハンドル(チ)の握り部(リ)をもって点線の位置まで引くことは可能である。
【０００８】
従って、その後は、(ｂ)に示すように車椅子(ル)を後退させてから再び(ｃ)のように引かなくてはならず、十分に開口した入口(オ)から(ｄ)のように車椅子ごと入ることになる。このように、前記図７に示す概略コ形のハンドル(チ)を備えた引戸(イ)では、該引戸(イ)を約１／２程度引いたところで車椅子(ル)を後退しなければならず、従って出入りが面倒であると共に時間がかかる。
【０００９】
又、図９に示すように、部屋のコーナー部に引戸(イ)が設けられている場合であれば、車椅子(ル)に乗っている身体障害者等(ヌ)は引戸(イ)のハンドル(チ)まで手が届かないといった問題が発生する。すなわち、車椅子(ル)の先端が壁面に当たってしまい、該車椅子(ル)を前へ進めることが出来ない。従って、車椅子(ル)から身を乗り出してハンドル(チ)を握らなくてはならず、その為に身体のバランスを崩すこともあって非常に危険である。
【００１０】
特開２００２−９７８５０号に係る「引戸」は、引戸が所望の開き幅に調整して止められ、車椅子の通過幅が確保でき、又身体障害者などの寄り掛かりの支えとなり得る開き幅にも調整できる引戸であり、敷居や鴨居を移動して開閉する障子の面上の適宜な位置に、引き手を突出させて装着し、障子が開かれる際に、ストッパに引き手が当接し、障子の開きがストッパに対して止められるようにした引戸であって、引き手の障子に対する位置を見付け方向に変えて装着可能な構造としている。
【００１１】
上記特開２００２−９７８５０号公報の図３、図４には引き手２２が表示され、前記図７に示している引戸(イ)のハンドル(チ)の形態とは違っている。すなわち、コ型のハンドル(チ)に比較して操作しやすくなっているが、その目的も異なることから本発明が求めるまでの機能は存在しない。
【特許文献１】特開２００２−９７８５０号に係る「引戸」
【発明の開示】
【発明が解決しようとする課題】
【００１２】
このように、従来の引戸用ハンドルには上記のごとき問題がある。本発明が解決しようとする課題はこの問題点であって、車椅子に乗った場合、又は杖をついた状態の身体障害者や高齢者であっても、引戸の開き操作を簡単に行うことが出来る引戸用ハンドル及び該ハンドルを取付けた引戸を提供する。
【課題を解決するための手段】
【００１３】
本発明に係る引戸用ハンドルは概略長方形を成し、上アームと下アームとで引戸のパネルに取付けられている。概略長方形ハンドルは戸先側にて上下方向に延びるメイン握り部と戸尻側にて上下方向に延びる補助握り部、及びメイン握り部と補助握り部の上下端を連結する上握り部及び下握り部を有している。そして、各コーナーは滑らかに湾曲した形状と成っている。すなわち、握り部が概略長方形と成っていて、何所でも掴むことが出来る。
【００１４】
ここで、補助握り部は上記メイン握り部と平行であって、しかも引戸面に対して平行を成している。そして、引戸面との間隔はメイン握り部より補助握り部の方が大きく成っていて、しかも、両握り部の背面側には必要に応じて凹凸面が形成される。ところで、本発明の引戸用ハンドルは引戸の戸先側両面に取付けられ、車椅子に乗った場合、又は杖をついた状態の身体障害者や高齢者は、メイン握り部、補助握り部、上握り部、又は下握り部の何れか適当な握り部を握って開閉操作を行うことが出来る。
【発明の効果】
【００１５】
本発明の引戸用ハンドルは概略長方形を成して、メイン握り部、補助握り部、そして上下握り部を有している為に、車椅子に乗った身体障害者等はその車椅子の位置を動かすことなく、適当な握り部をもって引戸を開閉することが出来る。一般には、戸尻側に位置する補助握り部を持ってある程度開き、その後はメイン握り部に持ち換えて引戸を開く。又、必要に応じて上下の握り部を持って開くことも可能と成る。
【００１６】
従って、車椅子を動かすことなく手軽に引戸を全開することが出来、入口から素早く入ることが出来る。又、部屋のコーナー部に引戸が設置される場合であっても、車椅子に乗った状態で身を乗り出すことなく補助握り部を掴んで引戸を引くことが出来る。一方、本発明のハンドルは上下握り部を有しているために、杖を持って歩く障害者等にとっては該上下握り部を掴んで開閉操作がし易くなる。
【実施例】
【００１７】
図１は本発明に係る引戸１を表している実施例である。引戸１は縦長の長方形パネル２から成り、上端両側には吊車(図示なし)が取着され、引戸１は該吊車を介して上レール(図示なし)に吊設される。そして、引戸１の両面の戸先側にはハンドル３が取付けられていて、人はこのハンドル３を握って引戸１を開くことが出来る。一般に、吊車が載って走行する上レールは戸先側が僅かに低く傾斜している為に、手で引いて開いた引戸１はその自重にて独りで閉じることが出来るように成っている。
【００１８】
ところで、該引戸１のパネル２には握り部となる概略長方形のハンドル３が取着されているが、後方へ延びるアーム４，４を介してパネル２に固定されている。概略長方形のハンドル３はメイン握り部５、補助握り部６、上握り部７、及び下握り部８を有し、メイン握り部５及び補助握り部６は互いに平行を成して上下方向に延び、上下端は上記上握り部７と下握り部８にて繋がっている。しかも、各コーナー部は滑らかに湾曲している。
【００１９】
そして、上記メイン握り部５及び補助握り部６は共にパネル２と所定の間隔をおいて平行と成っているが、その間隔は補助握り部６の方が大きく成っている。図２は上記ハンドル３を単独で表している具体例である。同図に示しているように、各コーナー部を湾曲した概略長方形を成し、アーム４，４は上握り部７及び下握り部８のメイン握り部５側に設けられている。そして、上下握り部７，８は概略「ヘ」字状に屈曲し、該屈曲部にアーム４，４が設けられている。そして、補助握り部６はメイン握り部５とほぼ平行に延びているが、中央部を戸尻側へ凸状をなして僅かに湾曲した形状となっている。
【００２０】
図３はハンドル３を示す別形態であり、概略長方形の握り部にアーム４，４を設けている点は前記図２のハンドル３を同じである。図３に示すハンドル３はアーム４，４を設けている位置が前記図２のハンドル３とは異なり、メイン握り部５の上下に設けている。そして、補助握り部６はメイン握り部５と平行と成っていると共に、パネル面に対しても平行であるが、パネル２との間隔は補助握り部６のほうが大きく成っている。従って、上下握り部７，８はパネル面と平行と成っていない。このように、補助握り部６がパネル面から大きく張り出していることで、車椅子に乗る身体障害者等が該補助握り部６を掴み易くなる。
【００２１】
図４は本発明に係る引戸１を開く際の操作を表しているが、(ａ)に示すように車椅子９に乗った身体障害者等１０は適当な位置で該車椅子９を停止してハンドル３を引くことが出来る。この場合、身体障害者等１０が手を伸ばすことで補助握り部６を掴むことが出来る位置に車椅子９を停止して、該補助握り部６を引っ張るならば引戸１を約１／２程度開くことが出来る。補助握り部６は車椅子側に位置していると共にパネル面からの張り出し距離が大きい為に、身体障害者等１０は掴み易い。
【００２２】
その後は、(ｂ)に示すようにメイン握り部５に握り換えて引くことで引戸１をほぼ全開することが出来、開口は車椅子９が通過できる大きさとなる。そして、(ｃ)のように車椅子９ごと入口から入ることが出来る。この際、開いた引戸１が独りで閉じないように引戸１は全開ストッパーに係止することが出来る。そして、中に入ったところで、引戸１を引いて全開ストッパーから解除するならば独りで閉じる。すなわち、引戸１が吊設されている上レール(図示なし)は戸先側が僅かに低く傾斜している為に、全開ストッパーが解除されることで、引戸１の自重が作用して独りで閉じることが出来る。
【００２３】
一方、図５に示すように引戸１が部屋のコーナー部に設けている場合にも補助握り部６を持って引くことが出来、ある程度開いたところで今度はメイン握り部５に持ち替えて引くことが出来る。従って、メイン握り部５しかない従来のハンドル(チ)のように、身を乗り出してハンドル操作する必要がない。
【００２４】
ところで、上記ハンドル３，３はパネル両面の対称位置に挿着されているが、具体的な取付け構造は特に限定しない。一般にはパネル対向面側から挿入したネジをアームに設けているネジ穴に締付けて一方側のハンドル３を取付け、反対側のハンドル３はそのアーム先端に嵌合穴を設け、この嵌合穴に上記ネジの頭を嵌合すると共にアーム側面から止めネジにて固定する構造と成っている。
【図面の簡単な説明】
【００２５】
【図１】本発明に係る引戸を示す具体例。
【図２】本発明のハンドル。
【図３】本発明のハンドル。
【図４】本発明の引戸の操作手順。
【図５】部屋のコーナー部に引戸を設けた場合の操作。
【図６】従来の引戸装置。
【図７】従来の引戸を示す具体例。
【図８】従来の引戸の操作手順。
【図９】部屋のコーナーに設けている従来引戸の操作。
【符号の説明】
【００２６】
１  引戸
２  パネル
３  ハンドル
４  アーム
５  メイン握り部
６  補助握り部
７  上握り部
８  下握り部
９  車椅子
10  身体障害者等
【図１】
2007146507.tif 000003
【図２】
2007146507.tif 000004
【図３】
2007146507.tif 000005
【図４】
2007146507.tif 000006
【図５】
2007146507.tif 000007
【図６】
2007146507.tif 000008
【図７】
2007146507.tif 000009
【図８】
2007146507.tif 000010
【図９】
2007146507.tif 000011